(57)【要約】【課題】パッティングをする際の、ボールからカップまでラインを目測するスケールを備えたゴルフパターシャフトを提供する。【解決手段】先端にヘッド３、後端にグリップ４を有するゴルフパターシャフト２において、全長に渡って、軸線に沿って形成された鏡面２２を有する。鏡面２２の中央には、計測線２３が設けられ、計測線２３には、第１目盛２４１と第２目盛２４２が設けられている。グリーン上で、ボールとカップとを結ぶ直線上にゴルフシャフト２を配置し、ボールとカップが同時に鏡面２２に写し出されるように、ゴルフシャフト２の位置・姿勢を調節し、第１目盛２４１の位置にボールの像を重ねると、第２目盛２４２の位置が、パッティングの際の目標点となる。【選択図】図１
0003099082.tif 000002
【実用新案登録請求の範囲】
【請求項１】
シャフト本体の軸方向に沿って形成され、少なくとも軸線に直交する横断面における輪郭が直線となる鏡面を備えたゴルフパターシャフト。
【請求項２】
前記鏡面には、軸線に沿って設けられた直線によって構成される計測線を有する請求項１に記載のゴルフパターシャフト。
【請求項３】
前記鏡面には、シャフト本体の軸方向に沿った方向に、目盛が設けられている請求項１又は２に記載のゴルフパターシャフト。
【請求項４】
前記目盛は、パッティングする際の目標点として、ボールから好ましい距離にある場所の像が写し出される位置に設けられている請求項３に記載のゴルフパターシャフト。
【請求項５】
前記鏡面は、シャフト本体の軸線に沿って湾曲した円弧を有する凸面となっている請求項１〜４のいずれか１に記載のゴルフパターシャフト。
【請求項６】
前記鏡面は、平面である請求項１〜４のいずれか１に記載のゴルフパターシャフト。
【請求項７】
前記鏡面は、ヘッドから、グリップへ向けて、シャフト本体の軸線に直交する方向の幅が漸減する請求項１〜６のいずれか１に記載のゴルフパターシャフト。
【請求項８】
請求項１〜７のいずれかに記載のゴルフパターシャフトを有するゴルフパター。
【考案の詳細な説明】
【０００１】
【考案の属する技術分野】
この考案は、ゴルフパターシャフト及びゴルフパターに係り、詳しくは、パッティングをする際に、ボールからカップまでラインを目測する際のスケールを備えたゴルフパターシャフト及びゴルフパターに関するものである。
【０００２】
【従来の技術】
グリーン上で、ボールとカップが離れた位置にある場合、パッティングをする姿勢では、カップの位置が視界から外れるため、ボールを転がす方向を正確に定めることができない。このような場合、パッティング方向を正確にするために、例えば、次のような動作が行われる。
ポールとカップとを結んだ直線を想定し、その直線上に立つ。次に、その直線上に位置し、ボールに近い場所にある目標点を決定する。パッティング時には、決定した目標点とボールとを結ぶ直線を想定し、その直線に平行となる位置にスタンスを取る。そして、目標点に向けてパッティングすることによって、カップへ向けて正確にボールを転がすことが可能となる。
ボールのパッティング方向がチェツクできるゴルフパターとしては、例えば、以下のような考案がある。
【０００３】
【特許文献１】
特開２００２−２１００５０号。
【０００４】
【考案が解決しようとする課題】
しかし、上記従来の方法では、ボールとカップの距離が長い場合には、両者を結ぶ直線を正確に想定することが困難な場合がある。また、目測により直線を想定するため、必ずしも正確な目標点を設定することができなかった。また、上記特許文献１に記載の従来のゴルフパターは、目標点を設定するためのものではなく、単にヘッドの方向を、鏡に写ったカップの方向に向けるためのものである。また、カップとボールの距離が長くなると、カップの像が縮小して、鏡の像として確認しずらく、一方、手前のボールの像が大きく写るため、像の大きさに大きな差が生じ、小さな鏡面内で、正確なパッティングの方向を確定することが困難となるといった欠点があった。
本考案の目的は、パッティングをする際の、ボールからカップまでラインを目測するスケールを備えたゴルフパターシャフト及びゴルフパターを提供することにある。
【０００５】
【課題を解決するための手段】
このような目的は、以下の本考案によって達成される。
（１）　シャフト本体の軸方向に沿って形成され、少なくとも軸線に直交する横断面における輪郭が直線となる鏡面を備えたゴルフパターシャフト。
【０００６】
（２）　前記鏡面には、軸線に沿って設けられた直線によって構成される計測線を有する上記（１）に記載のゴルフパターシャフト。
【０００７】
（３）　前記鏡面には、シャフト本体の軸方向に沿った方向に、目盛が設けられている上記（１）又は（２）に記載のゴルフパターシャフト。
【０００８】
（４）　前記目盛は、パッティングする際の目標点として、ボールから好ましい距離にある場所の像が写し出される位置に設けられている上記（３）に記載のゴルフパターシャフト。
【０００９】
（５）　前記鏡面は、シャフト本体の軸線に沿って湾曲した円弧を有する凸面となっている上記（１）〜（４）のいずれか１に記載のゴルフパターシャフト。
【００１０】
（６）　前記鏡面は、平面である上記（１）〜（４）のいずれか１に記載のゴルフパターシャフト。
【００１１】
（７）　前記鏡面は、ヘッドから、グリップへ向けて、シャフト本体の軸線に直交する方向の幅が漸減する上記（１）〜（６）のいずれか１に記載のゴルフパターシャフト。
【００１２】
（８）　上記（１）〜（７）のいずれかに記載のゴルフパターシャフトを有するゴルフパター。
【００１３】
【考案の実施の形態】
以下、本考案の好適実施形態のゴルフパターシャフト及びゴルフパターについて詳細に説明する。図１は、本考案のゴルフパター１の全体斜視図である。ゴルフパター１は、シャフト２と、シャフト２の先端に接続されたヘッド３と、シャフト２の後端に設けられたグリップ４とを備えている。シャフト２は、シャフト本体２１の側面に鏡面２２を有している。シャフト本体２１は、先端から後端へ向けて太さが漸増する形状に形成されており、先端部には、ヘッド３が、後端部にはグリップ４が設けられている。
【００１４】
シャフト本体２１に形成されている鏡面２２は、平面であって、シャフト本体２１の軸線に沿って、軸方向に連続して形成され、外側に露出しているシャフト本体２１の略全長に渡って形成されている。鏡面２２は、シャフト本体２１の軸線に平行であるか、又は必ずしも平行ある必要はない。
鏡面２２は、シャフト本体２１において、ヘッド３の先端３１側の側面に設けられている。この位置に設けることによって、パッティングをする姿勢で、鏡面２２で、パッティング方向の目標点を決定することができ、鏡面２２を使って計測する際にゴルフパター１を持ち替える必要がない。図２は、シャフト本体２１の横断面図である。シャフト本体２１の横断面において、鏡面２２が形成された部分の輪郭は、直線となっている。
【００１５】
鏡面２２の中央には、シャフト本体２１の軸線に沿って、計測線２３が鏡面２２の全長に渡って設けられている。計測線２３のヘッド３側の端部には、基準位置を示す第１目盛２４１が、目標点を探すための目安とする第２目盛２４２が設けられている。第１目盛２４１が最もヘッド３に近く、第２目盛２４２は、第１目盛２４１よりもヘッド３から離れた位置に設けられている。
【００１６】
以上のような本考案のゴルフパター１は、次のように作用する。図３は、グリーン上に位置するボール５と、カップ６と、競技者の位置を俯瞰した、模式図である。競技者は、パッティングする準備として、カップ６とボール５と結んだ直線７の延長線上に立ち（Ｂ位置）、直線７状に位置する目標点７１を任意の位置に設定する。ここで、目標点７１を決定する条件としては、競技者がパッティングをする位置（Ａ位置：ボール５の側方において、直線７と平行にスタンスを取る位置）に立ち、パッティング姿勢となったときに、視界に入る位置であり、かつ、パットの狙いの精度を上げるためには、ボール５からの距離ｌが十分に取られている必要がある。
【００１７】
図４は、競技者８が、図３におけるＢ位置に立った時のゴルフパター１の使用状態を示す図である。図５は、使用時のゴルフパター１の状態を示す俯瞰図である。Ｂ位置において、カップ６に向かって立ち、ヘッド先端３１をカップ６へ向け、ヘッド３のソール３３が直線７に平行となる位置にゴルフパター１を置く。この時、鏡面２２には、ボール５の像５１が写る。ボール５の像５１が、第１目盛２４１と重なり、同時に、カップ６の像６１が鏡面２２内に写るように、ゴルフパット１の位置や角度を調節する。例えば、図５に示されているように、鏡面２２において、第１目盛２４１の位置には、ボール５の像５１が重なり、鏡面２２のグリップ４側の端には、カップ６の像６１が写る。さらに、ボールの像５１とカップの像６１の中心を計測線２３が通るように、ゴルフパット１の位置や姿勢を調整する。
【００１８】
ゴルフパット１の姿勢を図５に示されているような、鏡面２２の状態に調整することによって、直線７と計測線２３は重なり、計測線２３上に写し出された像が、直線７上に位置する目標となる。そして、この状態で、第２目盛２４２の付近に写し出されたグリーン上の像を、目標点として選択すると、上記の目標点としての条件を備えた目標点を決定することができる。この様に、第１目盛と第２目盛の距離は、第２目盛２４２に重なったグリーンの芝面上の目標物が、ボールに対して最適な距離の目標点となるように、設定されている。目標点となる目標物は、例えば芝目の色が変わった境目や、色の違う芝の葉、ゴルフシューズのスパイクの跡などを選択することができる。
【００１９】
以上説明した実施形態の他、計測線２３を省略した鏡面としてもよい。図６は、計測線２３を備えないゴルフパター１Ａの図である。この鏡面２２は、ゴルフパターシャフト２のヘッド３側からグリップ４へ向けて、幅が漸減するように構成されている。ヘッド３よりに写し出されるボール５の像５１は、ボール５とゴルフパター１との距離が短いために、像は大きく写る。一方、カップ６とゴルフパター１との距離は長いため、カップ６の像６１は、グリップ４側で、ボール５の像５１よりも小さく写る。このため、鏡面２２Ａの幅も、ヘッド３側を大きく、グリップ４側を小さくすることによって、鏡面２２Ａのみで容易に、ボール５とカップ６とを繋げる直線を想定でき、特に計測線２３を設ける必要がなくなる。
【００２０】
図７は、他の実施形態であるゴルフパター１Ｂの側面全体図である。この実施形態のゴルフパター１Ｂは、鏡面２２Ｂが、シャフト本体２１の軸線に沿って湾曲した、半径Ｒの円弧を有する凸面となっている。このような凸曲面とすることによって、反射角度を広く取ることができ、ボールとカップがさらに遠い場合にも、鏡面２２Ｂ内に同時にボールとカップを写し出すことが可能となる。
なお、上記説明したいずれの実施形態においても、鏡面２２は、シャフト本体２１において、必ずしもヘッド３の先端３１側に設けられていなくてもよく、ヘッド３のヒール３２側の側面、その他の方向の側面に形成されていてもよい。
【００２１】
【考案の効果】
請求項１に記載の考案によれば、鏡面にボールとカップを同時に写し出すことかでき、これにより、ボールとカップを結ぶ直線を容易に想定することがきる。パッティングの方向を正確に決定することができる。さらに、パッティングの際の目標点となる位置も容易かつ正確に決定することができる。特に、シャフト本体に鏡面が設けられているので、上記直線に沿って長い細長の鏡面とすることができ、ボールとカップの間が離れている場合にも正確にパッティングの方向を確定することが可能となる。
【００２２】
請求項２に記載の考案によれば、計測線に、ボールとカップの像を重ねることにより、より正確な位置に目標点を設定することができる。
請求項３に記載の考案によれば、目盛を目安にすることにより、鏡面に写った目標点とボールとの実際の距離を容易に把握することができる。
【００２３】
請求項４に記載の考案によれば、ボールから最適な位置となる場所の像が写る位置に目盛が設けられているので、目標点の決定が一層容易となる。
請求項５に記載の考案によれば、鏡面を、シャフト本体の軸線に沿って湾曲した円弧を有する凸面とすることによって、競技者の視線が鏡面で反射する角度が広がることとなる。これにより、さらに遠方のカップの像を鏡面に写し出すことが可能となり、ロングパットにおいてもパッティング方向を正確に決定できる。
【００２４】
請求項６に記載の考案によれば、鏡面が平面であるので、像が歪むことなく鮮明に写るので、より正確にパッティング方向の決定が可能となる。
請求項７に記載の考案によれば、パッティング方向の決定をより正確に行うことができる。
請求項８に記載の考案によれば、パッティング方向の決定をより正確に行うことができる。
【図面の簡単な説明】
【図１】本考案のゴルフパターの全体斜視図である。
【図２】シャフト本体の横断面図である。
【図３】グリーン上に位置するボールと、カップと、競技者の位置を俯瞰した、模式図である。
【図４】競技者が、図３におけるＢ位置に立った時のゴルフパターの使用状態を示す図である。
【図５】使用時のゴルフパターの状態を示す俯瞰図である。
【図６】計測線を備えないゴルフパターシャフトの俯瞰図である。
【図７】他の実施形態であるゴルフパターの側面全体図である。
【符号の説明】
１　ゴルフパター
２　ゴルフパターシャフト
２１　シャフト本体
２２　鏡面
２３　計測線
２４１　第１目盛
２４２　第２目盛
３　ヘッド
３１　ヘッド先端
３２　ヒール
３３　ソール
４　グリップ
５　ボール
５１　ボールの像
６　カップ
６１　カップの像
７　想定直線
７１　目標点
８　競技者
【図１】
0003099082.tif 000003
【図２】
0003099082.tif 000004
【図３】
0003099082.tif 000005
【図４】
0003099082.tif 000006
【図５】
0003099082.tif 000007
【図６】
0003099082.tif 000008
【図７】
0003099082.tif 000009